(57)【要約】【課題】部屋の壁面に後付けで設置する場合であっても部屋の美観を好適に維持することが可能な壁面パネルヒータを提供することを目的とする。【解決手段】本発明にかかる壁面パネルヒータ（パネルヒータ１００）の構成は、壁面１０２に取り付け可能な壁面パネルヒータであって、パネル状のヒータ１１８、ヒータの周囲に配置される木枠１１６、およびヒータの正面を覆う化粧パネル１１２とを含むヒータ本体１１０と、化粧パネルの表面に取り付けられるタオルかけ１３０と、木枠を貫通してヒータ本体を壁に固定する２以上の固定用ネジ１５０と、を備え、固定用ネジの一部または全部が、ヒータ本体とともにタオルかけを壁に共締めしていることを特徴とする。【選択図】図１
2019066083.tif 000002
【特許請求の範囲】
【請求項１】
壁面に取り付け可能な壁面パネルヒータであって、
パネル状のヒータ、該ヒータの周囲に配置される木枠、および該ヒータの正面を覆う化粧パネルとを含むヒータ本体と、
前記化粧パネルの表面に取り付けられるタオルかけと、
前記木枠を貫通して前記ヒータ本体を壁に固定する２以上の固定用ネジと、
を備え、
前記固定用ネジの一部または全部が、前記ヒータ本体とともに前記タオルかけを壁に共締めしていることを特徴とする壁面パネルヒータ。
【請求項２】
壁面に取り付け可能な壁面パネルヒータであって、
パネル状のヒータ、該ヒータの周囲に配置される木枠、および該ヒータの正面を覆う化粧パネルとを含むヒータ本体と、
前記化粧パネルの表面に取り付けられるタオルかけと、
前記タオルかけを着脱可能に支持する支持具と、
前記木枠を貫通して前記ヒータ本体を壁に固定する２以上の固定用ネジと、
を備え、
前記固定用ネジの一部または全部が、前記ヒータ本体とともに前記支持具を壁に共締めしていることを特徴とする壁面パネルヒータ。
【発明の詳細な説明】
【技術分野】
【０００１】
本発明は、壁面に取り付け可能な壁面パネルヒータに関するものである。
【背景技術】
【０００２】
近年、脱衣所やそれを兼ねた洗面所等（以下、単に脱衣所と称する）において起こるヒートショック現象が知られている。ヒートショック現象は、居間と脱衣所との温度差によって血圧等の急激な変化が生じる現象のことである。ヒートショック現象を避けるためには、居間と脱衣所との温度差を小さくすることが重要である。このような観点から、脱衣所へのヒータの設置が進んでいる。
【０００３】
ヒータとしては床置きのものもあるが、使用しない夏場等には邪魔になってしまう。そこで、特許文献１の壁暖房用ヒータのように壁に設置するタイプのヒータが提案されている。特許文献１では、部屋の壁を形成する際に壁形成梁材に壁暖房用ヒータを固定することにより、壁暖房用ヒータを部屋の壁に設置している。すなわち特許文献１では、部屋の壁を形成する際に壁形成梁材を利用して壁暖房用ヒータを設置している。
【先行技術文献】
【特許文献】
【０００４】
【特許文献１】特開平１０−３３９４６３号公報
【発明の概要】
【発明が解決しようとする課題】
【０００５】
特許文献１の技術は、新築時や改装時に壁暖房用ヒータを設置する場合には好適に適用することができると考えられる。しかしながら、既設の部屋に壁暖房用ヒータを設置する場合、特許文献１の技術を適用することは難しく、壁面にネジ等の固定具を用いて後付けで壁暖房用ヒータ（以下、壁面パネルヒータと称する）取り付けることになる。すると、壁面パネルヒータの取付箇所が露出してしまい、部屋の美観を損ねてしまうことが懸念される。
【０００６】
本発明は、このような課題に鑑み、部屋の壁面に後付けで設置する場合であっても部屋の美観を好適に維持することが可能な壁面パネルヒータを提供することを目的としている。
【課題を解決するための手段】
【０００７】
上記課題を解決するために、本発明にかかる壁面パネルヒータの代表的な構成は、壁面に取り付け可能な壁面パネルヒータであって、パネル状のヒータ、ヒータの周囲に配置される木枠、およびヒータの正面を覆う化粧パネルとを含むヒータ本体と、化粧パネルの表面に取り付けられるタオルかけと、木枠を貫通してヒータ本体を壁に固定する２以上の固定用ネジと、を備え、固定用ネジの一部または全部が、ヒータ本体とともにタオルかけを壁に共締めしていることを特徴とする。
【０００８】
上記構成によれば、ヒータ本体を壁面に固定する固定用ネジがタオルかけによって被覆されるため、固定用ネジが使用者に視認されづらくなる。したがって、部屋の壁面に壁面パネルヒータを後付けで設置する場合であっても、部屋の美観を好適に維持することが可能となる。また壁面パネルヒータの化粧パネルの表面にタオルかけが設けられることにより、使用者の利便性を高めることができる。更に壁面パネルヒータとタオルかけの位置が近いため、タオルを効率的に乾かすことも可能である。
【０００９】
上記課題を解決するために、本発明にかかる壁面パネルヒータの他の構成は、壁面に取り付け可能な壁面パネルヒータであって、パネル状のヒータ、ヒータの周囲に配置される木枠、およびヒータの正面を覆う化粧パネルとを含むヒータ本体と、化粧パネルの表面に取り付けられるタオルかけと、タオルかけを着脱可能に支持する支持具と、木枠を貫通してヒータ本体を壁に固定する２以上の固定用ネジと、を備え、固定用ネジの一部または全部が、ヒータ本体とともに支持具を壁に共締めしていることを特徴とする。
【００１０】
かかる構成によっても、部屋の美観を好適に維持しつつ壁面に壁面パネルヒータを取り付けることができる。したがって、上記と同様の効果が得られる。またタオルかけが支持部に着脱可能であることにより、使用者は自分の好みに応じてタオルかけの数を変更することが可能となる。
【発明の効果】
【００１１】
本発明によれば、部屋の壁面に後付けで設置する場合であっても部屋の美観を好適に維持することが可能な壁面パネルヒータを提供することができる。
【図面の簡単な説明】
【００１２】
【図１】本実施形態にかかる壁面パネルヒータの全体斜視図である。
【図２】図１のパネルヒータの分解斜視図である。
【図３】ヒータ本体へのタオルかけの取付について説明する図である。
【図４】パネルヒータのバリエーションを説明する斜視図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１４】
図１は、本実施形態にかかる壁面パネルヒータの全体斜視図である。図１に示すように、本実施形態の壁面パネルヒータ（以下、パネルヒータ１００と称する）は、部屋（全体は不図示）の壁面１０２に取り付けられる。本実施形態のパネルヒータ１００は、ヒータ本体１１０、タオルかけ１３０、支持具１４０（図２参照）および固定用ネジ１５０を含んで構成される。
【００１５】
図２は、図１のパネルヒータ１００の分解斜視図である。なお、図１では、８つの固定用ネジのうち、１つの固定用ネジにのみ符号を付したが、図２では、すべての固定用ネジに符号を付している。以下の説明では、複数（２以上）の固定用ネジ１５０ａ・１５０ｂを特に区別しない場合には、固定用ネジ１５０と総称する。
【００１６】
図２に示すように、ヒータ本体１１０は主に、ヒータ１１８、木枠１１６および化粧パネル１１２を含んで構成される。ヒータ１１８は、パネル状であり、通電によって発熱し、周囲に輻射熱を放出する。ヒータ１１８の背面には断熱材１２０が配置される。断熱材１２０は、ウレタンフォーム等の発泡材からなり、ヒータ１１８の壁面１０２側（図１参照）への熱の放出を抑制する。
【００１７】
ヒータ１１８および断熱材１２０の周囲には、ヒータ本体１１０の骨格となる木枠１１６が配置される。このように木枠１１６を用いることにより、ヒータ本体１１０の剛性を高めることができる。木枠１１６の側面は木口シート１２４によって覆われる。木枠１１６内に配置されたヒータ１１８の正面には、アルミシート１１４が配置される。熱伝導性の高いアルミシート１１４を配置することにより、パネルヒータ１１０の全体の温度が均質化されることで、部屋の空間内へのヒータ１１８の放熱効率を高めることができる。木枠１１６内に配置された断熱材１２０の背面には裏面材１２２が配置される。木枠１１６内に配置されたアルミシート１１４の正面には、ヒータ１１８の正面を覆う化粧パネル１１２が配置される。
【００１８】
また図１に示すように、化粧パネル１１２およびアルミシート１１４には、取付孔１１２ａ・１１４ａが形成されている。この取付孔１１２ａ・１１４ａに、パネルヒータ１００を制御するためのコントローラ１２８が取り付けられる。ヒータ本体１１０は、このように化粧パネル１１２〜コントローラ１２８の部材を取り付けることにより構成される。
【００１９】
化粧パネル１１２および木枠１１６には複数のネジ穴１１２ｂ・１１６ｂが形成されている。固定用ネジ１５０ａ・１５０ｂを化粧パネル１１２および木枠１１６のネジ穴１１２ｂ・１１６ｂに差し込んで、パネルヒータ１００を壁面１０２（図１参照）に固定する。
【００２０】
このとき、複数の固定用ネジのうち、化粧パネル１１２の四隅に配置される固定用ネジ１５０ａは単にネジ穴１１２ｂ・１１６ｂから壁面１０２に固定する。これに対し、化粧パネル１１２の側縁近傍に配置される固定用ネジ１５０ｂは、ヒータ本体１１０とともにタオルかけ１３０の支持具１４０を壁に共締めして固定する。
【００２１】
そして、支持具１４０にタオルかけ１３０を支持させることにより、化粧パネル１１２の表面にタオルかけ１３０が取り付けられる。図２に示すように、タオルかけは、タオルがかけられる本体バー１３２ａ、および本体バーの両側に配置される一対の取付バー１３２ｂを含んで構成される。
【００２２】
図３は、ヒータ本体１１０へのタオルかけ１３０の取付について説明する図である。図３（ａ）〜（ｃ）では、コントローラ１２８の直下にタオルかけ１３０を取り付ける場合を例示している。また図３（ａ）〜（ｃ）では、説明に不要な部材を不図示としている。
【００２３】
図３（ａ）に示すように、支持具１４０の内部には貫通孔１４２が形成されている。タオルかけ１３０を化粧パネル１１２の表面に取り付ける際には、まず図３（ａ）に示す支持具１４０の貫通孔１４２に固定用ネジ１５０ｂを貫通させ、貫通させた固定用ネジ１５０ｂを化粧パネル１１２および木枠１１６のネジ穴１１２ｂ・１１６ｂに貫通させて、壁面１０２に固定する。これにより、図３（ｂ）に示すように、化粧パネル１１２の表面に支持具１４０が固定される。
【００２４】
次に、化粧パネル１１２の表面に固定された支持具１４０にタオルかけ１３０を取り付ける。図３（ｂ）に示すように、タオルかけ１３０のうち、取付バー１３２ｂのヒータ本体１１０と対向する側の端部には挿入孔１３４が形成されていて、その下側には固定穴１３６が形成されている。図３（ｂ）に示す挿入孔１３４に支持具１４０を挿入し、固定穴１３６に小ネジ１３８をねじ込む。これにより、図３（ｃ）に示すように、タオルかけ１３０が化粧パネル１１２の表面ひいてはヒータ本体１１０に取り付けられる。
【００２５】
特に本実施形態では、図２および図３に示すように、支持具１４０は、中央がくびれた鼓形状となっている。これにより、固定穴１３６にねじ込まれた小ネジ１３８が、支持具１４０のくびれた位置に当接する。したがって、取付バー１３２ｂの前方への移動が規制され、タオルかけ１３０の脱落を好適に防ぐことが可能となる。
【００２６】
上記説明したように、本実施形態のパネルヒータ１００によれば、ヒータ本体１１０を壁面１０２に固定する複数の固定用ネジ１５０のうち、支持具１４０を共締めした固定用ネジ１５０ｂは使用者に視認されづらくなる。したがって、部屋の美観を好適に維持しつつ、壁面１０２にパネルヒータ１００を後付けで設置することができる。
【００２７】
また仮に化粧パネルの四隅に配置される４つの固定用ネジのみによって壁面パネルヒータを支持する場合、壁面パネルヒータの重量が重いと支持が不安定になることが懸念される。これに対し、本実施形態では、パネルヒータ１００は、化粧パネル１１２の四隅に配置される４つの固定用ネジ１５０ａに加えて、化粧パネル１１２の側縁近傍に配置される４つの固定用ネジ１５０ｂによって壁面１０２に固定される。
【００２８】
したがって、本実施形態のパネルヒータ１００では、ヒータ本体１１０の重量が重い場合であっても安定して支持することが可能である。このとき、４つの固定用ネジ１５０ｂは支持具１４０によって被覆されるため、外観上は、あたかも他の４つの固定用ネジ１５０ａによって固定されているように観察される。したがって、パネルヒータ１００を安定して支持しつつ、美観が好適に維持される。
【００２９】
更に本実施形態のパネルヒータ１００のように、ヒータ本体１１０の表面にタオルかけ１３０が設けられることにより、使用者の利便性を高めることができる。またタオルかけ１３０にかけられたタオルは、熱源であるヒータ本体１１０との位置が近い。したがって、タオルを効率的に乾かすことができる。
【００３０】
特に本実施形態のパネルヒータ１００において、タオルかけ１３０は壁面１０２に固定した支持具１４０に対して着脱可能である。したがって、使用しないタオルかけ１３０を取り外したり、タオルかけを外した後の支持具１４０をフックとして利用したりする等、使用者は自分の好みに合わせて使用することが可能である。
【００３１】
なお、本実施形態では、複数の固定用ネジ１５０のうち、化粧パネル１１２の側縁近傍に配置される固定用ネジ１５０ｂが支持具１４０を共締めする構成を例示したが、これに限定するものではない。例えば、化粧パネル１１２の四隅に配置される固定用ネジ１５０ａが支持具１４０を共締めする構成としてもよいし、複数の固定用ネジ１５０すべてが支持具１４０を共締めする構成とすることも可能である。また固定用ネジ１５０の数においてもこれに限定するものではなく、適宜変更してもよい。
【００３２】
更に本実施形態では、化粧パネル１１２の表面にタオルかけ１３０を設ける構成を例示したが、これに限定するものではない。例えば、パネルヒータ１００の壁面１０２への固定強度、およびヒータ本体１１０の表面への取付強度を十分に確保できるのであれば、タオルかけ１３０に替えてサポートバー（手すり）をヒータ本体１１０の表面に取り付ける構成としてもよい。
【００３３】
図４は、パネルヒータ１００のバリエーションを説明する斜視図である。上述したパネルヒータ１００と共通する構成要素については、同一の符号を付すことにより説明を省略する。
【００３４】
図４では、タオルかけ２３０は、取付バー１３２ｂの壁面１０２側の端部から下方に延びる取付壁２３２を有する。これにより、支持具１４０を必要とすることなく、タオルかけ２３０を壁面１０２に直接取り付けることができる。かかる構成によれば、タオルかけ２３０を簡単に着脱することはできない。その代わり、部品点数を削減することができ、またタオルかけのがたつきを防止することができる。
【００３５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、壁面に取り付け可能な壁面パネルヒータとして利用することができる。
【符号の説明】
【００３７】
１００…パネルヒータ、１０２…壁面、１１０…ヒータ本体、１１２…化粧パネル、１１２ａ…取付孔、１１２ｂ…ネジ穴、１１４…アルミシート、１１４ａ…取付孔、１１６…木枠、１１６ｂ…ネジ穴、１１８…ヒータ、１２０…断熱材、１２２…裏面材、１２４…木口シート、１２８…コントローラ、１３０…タオルかけ、１３２ａ…本体バー、１３２ｂ…取付バー、１３４…挿入孔、１３６…固定穴、１３８…小ネジ、１４０…支持具、１４２…貫通孔、１５０…固定用ネジ、１５０ａ…固定用ネジ、１５０ｂ…固定用ネジ、２３０…タオルかけ、２３２…取付壁
【図１】
2019066083.tif 000003
【図２】
2019066083.tif 000004
【図３】
2019066083.tif 000005
【図４】
2019066083.tif 000006